(57)【要約】【課題】ユーザが間違い電話として登録する等の煩雑な手間を要することなく間違い電話を防止することができるようにする。【解決手段】主装置１（制御部１１）は、切断に要する時間が第１の時間（ｔ１）内の場合発信先電話番号を間違い電話番号候補と判定し間違い電話番号情報テーブル１６０ａに仮登録し、次に、発信先電話番号と異なる電話番号へ発信し、かつ、第１の時間より長い第２の時間（ｔ２）で切断された場合に、記憶した間違い電話候補の発信先電話番号を記憶部１６の間違い電話番号情報テーブル１６０ａに登録し、次回、発信時に、発信先電話番号が間違い電話番号情報テーブルに登録されてあることを条件に、発信元に対して間違い電話であることを報知する。【選択図】図１
2015046652.tif 000002
【特許請求の範囲】
【請求項１】
少なくとも、発信元電話番号と、発信先電話番号と、発信してから切断までに要する時間とをデータ項目とする間違い電話番号情報テーブルを記憶する記憶部と、
前記発信から切断までに要する時間が第１の所定時間以内の場合に、前記発信先電話番号を間違い電話番号候補と判定して仮登録し、次に、前記発信先電話番号と異なる電話番号へ発信し、かつ、前記第１の所定時間より長い第２の所定時間で切断された場合に、前記仮登録した間違い電話番号候補の発信先電話番号を前記間違い電話番号情報テーブルに登録し、次回、前記発信先電話番号への発信時に、当該発信先電話番号が前記間違い電話番号情報テーブルに登録されてあることを条件に、発信元に対して間違い電話であることを報知する制御部と、を備えたことを特徴とする電話装置。
【請求項２】
少なくとも、発信元電話番号と、発信先電話番号と、発信してから切断までに要する時間とをデータ項目とする間違い電話番号情報テーブルを記憶する記憶部と、
前記発信先電話番号への発信から切断までに要する時間が所定時間以内の場合で、前記発信先電話番号とは異なる発信先電話番号への発信から切断までに要する時間が前記所定時間以上のとき、前記発信先電話番号を間違い電話番号候補と判定して仮登録し、前記動作を繰り返したとき、前記間違い電話番号候補の発信先電話番号を前記間違い電話番号情報テーブルに登録し、次回、前記発信先電話番号への発信時に、当該発信先電話番号が前記間違い電話番号情報テーブルに登録されてあることを条件に、発信元に対して間違い電話であることを報知する制御部と、を備えたことを特徴とする電話装置。
【請求項３】
少なくとも、発信元電話番号と、発信先電話番号と、発信してから切断までに要する時間とをデータ項目とする間違い電話番号情報テーブルを記憶する記憶部と、
前記発信先電話番号からの応答通知から切断までに要する時間が所定時間内の場合に前記発信先電話番号を間違い電話番号候補と判定して仮登録し、前記発信先電話番号と異なる電話番号へ発信して応答通知から切断するまでに要する時間が前記所定時間以上の場合に前記間違い電話番号候補を前記間違い電話情報テーブルに登録し、次回、前記同じ電話番号への発信時に、前記発信先電話番号が前記間違い電話番号情報テーブルに登録されていることを条件に、発信元に対して間違い電話であることを報知する制御部と、を備えたことを特徴とする電話装置。
【請求項４】
前記制御部は、
電話番号形態が異なる電話番号への発信については前記間違い電話番号候補として判定しないことを特徴とする請求項１〜３のいずれか１項記載の電話装置。
【請求項５】
前記記憶部は、発信の履歴を記憶する履歴情報テーブルを更に記憶しており、
前記制御部は、前記間違い電話番号情報テーブルに登録した前記発信先電話番号を、前記履歴情報テーブルから削除することを特徴とする請求項１〜４のいずれか１項記載の電話装置。
【発明の詳細な説明】
【技術分野】
【０００１】
本発明は、間違い電話を回避することができる電話装置に関する。
【背景技術】
【０００２】
通常、電話をかける場合には、電話帳に登録してある電話番号を呼び出して発信する。しかしながら、何度も電話をかけている相手先への電話は、電話帳を利用して発信することが逆に煩わしく、記憶を頼りに手操作で電話番号を入力して電話をかけることが多々ある。しかしながら電話番号の入力誤りが発生し、実際に発信ボタンを押した後に表示してある電話番号を見てから気づくことが多い。
【０００３】
このため、例えば、特許文献１に、予め用意された電話先リストに基づきユーザが入力した電話番号に対する検索を行い、電話先リストに登録されている番号と部分的に不一致であった場合、入力した電話番号が正しいか否かをユーザに確認させる電話装置に関する技術が開示されている。また、例えば、特許文献２には、ユーザが間違え電話をかけてしまった際に、登録キーによって間違い電話番号として登録することにより、再び同じ番号に発信しようとした場合にユーザに警告を行うことで間違い電話の再発を防止する電話装置に関する技術が開示されている。
【先行技術文献】
【特許文献】
【０００４】
【特許文献１】特開平７−１６２４９７号公報
【特許文献２】特開平７−９５１７５号公報
【発明の概要】
【発明が解決しようとする課題】
【０００５】
しかしながら、特許文献１に開示された技術は、電話番号リストに正しい電話番号が登録されていることが前提であって、電話番号リストに正しい電話番号を登録しなくてはならないという手間を要する。また、電話番号リストに登録するユーザであれば、次回以降は電話番号リストを呼び出して発信することが多く、わざわざ手動で電話番号を入力して発信することは考えられず、あまり実用性がない。また、特許文献２に開示された技術によれば、間違い電話をかけてしまった場合に、その電話番号をユーザが間違い電話リストに登録する必要がある。通常、ユーザは間違えて電話をかけたときにその電話番号を登録するような行為は行わないため、登録を忘れやすく、したがって、登録し忘れてしまうと間違い電話の再発を防止することができない。
【０００６】
本発明は上記した課題を解決するためになされたものであり、ユーザが間違い電話として登録する等の煩雑な手間を要することなく間違い電話を防止できる電話装置を提供することを目的とする。
【課題を解決するための手段】
【０００７】
上記した課題を解決するために本発明の第１の観点に係る電話装置は、少なくとも、発信元電話番号と、発信先電話番号と、発信してから切断までに要する時間とをデータ項目とする間違い電話番号情報テーブルを記憶する記憶部と、前記発信から切断までに要する時間が第１の所定時間以内の場合に、前記発信先電話番号を間違い電話番号候補と判定して仮登録し、次に、前記発信先電話番号と異なる電話番号へ発信し、かつ、前記第１の所定時間より長い第２の所定時間で切断された場合に、前記仮登録した間違い電話番号候補の発信先電話番号を前記間違い電話番号情報テーブルに登録し、次回、前記発信先電話番号への発信時に、当該発信先電話番号が前記間違い電話番号情報テーブルに登録されてあることを条件に、発信元に対して間違い電話であることを報知する制御部と、を備えたことを特徴とする。
【０００８】
本発明の第２の観点に係る電話装置は、少なくとも、発信元電話番号と、発信先電話番号と、発信してから切断までに要する時間とをデータ項目とする間違い電話番号情報テーブルを記憶する記憶部と、前記発信先電話番号への発信から切断までに要する時間が所定時間以内の場合で、前記発信先電話番号とは異なる発信先電話番号への発信から切断までに要する時間が前記所定時間以上のとき、前記発信先電話番号を間違い電話番号候補と判定して仮登録し、前記動作を繰り返したとき、前記間違い電話番号候補の発信先電話番号を前記間違い電話番号情報テーブルに登録し、次回、前記発信先電話番号への発信時に、当該発信先電話番号が前記間違い電話番号情報テーブルに登録されてあることを条件に、発信元に対して間違い電話であることを報知する制御部と、を備えたことを特徴とする。
【０００９】
本発明の第３の観点に係る電話装置は、少なくとも、発信元電話番号と、発信先電話番号と、発信してから切断までに要する時間とをデータ項目とする間違い電話番号情報テーブルを記憶する記憶部と、前記発信先電話番号からの応答通知から切断までに要する時間が所定時間内の場合に前記発信先電話番号を間違い電話番号候補と判定して仮登録し、前記発信先電話番号と異なる電話番号へ発信して応答通知から切断するまでに要する時間が前記所定時間以上の場合に前記間違い電話番号候補を前記間違い電話情報テーブルに登録し、次回、前記同じ電話番号への発信時に、前記発信先電話番号が前記間違い電話番号情報テーブルに登録されていることを条件に、発信元に対して間違い電話であることを報知する制御部と、を備えたことを特徴とする。
【００１０】
本発明において、前記制御部は、電話番号形態が異なる電話番号への発信については前記間違い電話番号候補として判定しないことを特徴とする。
【００１１】
本発明において、前記記憶部は、発信の履歴を記憶する履歴情報テーブルを更に記憶しており、前記制御部は、前記間違い電話番号情報テーブルに登録した前記発信先電話番号を、前記履歴情報テーブルから削除することを特徴とする。
【発明の効果】
【００１２】
本発明によれば、ユーザが間違い電話として登録する等の煩雑な手間を要することなく間違い電話を防止できる電話装置を提供することができる。
【図面の簡単な説明】
【００１３】
【図１】本発明の実施の形態の電話装置の構成を示すブロック図である。
【図２】図１の電話機の構成を示すブロック図である。
【図３】実施例１の電話装置の動作を示すシーケンス図である。
【図４】図１の主装置の動作を示すフローチャートである。
【図５】図１の主装置の動作を示すフローチャートである。
【図６】実施例２の電話装置の動作を示すシーケンス図である。
【図７】実施例３の電話装置の動作を示すシーケンス図である。
【発明を実施するための形態】
【００１４】
以下、添付図面を参照して、本発明を実施するための形態（以下、本実施形態という）について詳細に説明する。なお、本実施形態の説明の全体を通して同じ要素には同じ番号を付している。
【００１５】
（実施形態の構成）
図１は本実施形態の電話装置１０の構成を示すブロック図である。本実施形態の電話装置１０は、主装置１と、それに収容されたＮ台（Ｎ≧２）の電話機２（２ａ〜２ｎ）により構成される。
【００１６】
主装置１は、１本以上の電話回線８に接続されており、内線伝送路６により電話機２（２ａ〜２ｎ）に接続されている。なお、図示省略したが、ＰＣやサーバは、無線又は有線のＬＡＮ等の通信ネットワーク７により主装置１に接続されている。主装置１と、ＰＣやサーバは、通信ネットワーク７を介して互いにデータ通信が可能である。
【００１７】
主装置１は、内線伝送路６を介して接続される内線の電話機２の状態を管理し、この主装置１全体の制御等を行う制御部１１と、電話回線８を終端制御する外線インターフェース部１２と、内線伝送路６を介して電話機２を収容する内線インターフェース部１３と、外線インターフェース部１２と内線インターフェース部１３とを交換接続する交換処理部１４と、通信ネットワーク７を介したデータ通信のための処理を行う通信インターフェース部１５と、記憶部１６と、を備えている。
【００１８】
記憶部１６には、制御部１１が実行するプログラムの他、発信元電話番号と、発信先電話番号と、ユーザが発信してから切断までに要する時間とをデータ項目とする間違い電話番号情報テーブル１６０ａと、発信履歴が格納される発信履歴情報テーブル１６０ｂとが割り付けられ記憶される。記憶部１６として、ＳＲＡＭ、ＤＲＡＭ、あるいはフラッシュメモリが実装される。
【００１９】
制御部１１は、後述するように、電話機２のいずれかの切断までに要する時間が第１の時間以内の場合に、発信先電話番号を間違い電話番号候補と判定して仮登録し、先に発信した発信先電話番号と異なる電話番号へ発信し、かつ、第１の時間より長い第２の時間（ｔ２）で切断された場合に、仮登録した間違い電話番号候補の発信先電話番号を記憶部１６の間違い電話番号情報テーブル１６０ａに登録し、次回、その発信先電話番号への発信時に、当該発信先電話番号が間違い電話番号情報テーブル１６０ａに登録されてあることを条件に、発信元に対して間違い電話であることを報知する。
【００２０】
制御部１１は、間違い電話番号候補を間違い電話情報テーブル１６０ａに仮登録し、次に、発信先電話番号に発信して切断までに要する時間が第１の所定時間以内の場合に発信先電話番号を間違い電話情報テーブル１６０ａに登録し、登録された発信先電話番号が間違い電話番号情報テーブル１６０ａに登録されてあることを条件に、発信元に対して間違い電話であることを報知してもよい。また、制御部１１は、電話番号形態が異なる電話番号への発信については間違い電話番号候補として判定しないように制御してもよい。
【００２１】
制御部１１は、切断までに要する時間が所定の時間内の場合に発信先電話番号を間違い電話番号情報テーブル１６０ａに仮登録し、発信先電話番号と同じ電話番号へ発信し、かつ、切断までに要する時間が所定時間内の場合に同じ電話番号を間違い電話情報テーブル１６０ａに登録し、次回、同じ電話番号への発信時に、発信先電話番号が間違い電話番号情報テーブル１６０ａに登録されていることを条件に、発信元に対して間違い電話であることを報知してもよい。
【００２２】
制御部１１は、間違い電話番号情報テーブル１６０ａに登録した発信先電話番号を、履歴情報テーブル１６０ｂから削除してもよい。
【００２３】
図２に電話機２（２ａ）の構成が示されている。電話機２ｂ〜２ｎも同様の構成を有する。図２に示すように、電話機２は、この電話機２全体の制御等を行う制御部２１と、それぞれが制御部２１に接続された内線インターフェース部２２、音声処理部２３、ＬＣＤ表示部２４、ＬＥＤ光源２５、操作部２６、記憶部２７を備えている。
【００２４】
内線インターフェース部２２は、内線伝送路６を介して主装置１と通信を行い、音声処理部２３は、音声信号アンプ、スピーカ、及び受話器等を備えており、呼出音や各種報知音の発生等を行う。ＬＣＤ表示部２４は制御部２１から送られてくる各種情報や後述する操作部２６から入力される情報等を表示する。ＬＥＤ光源２５は後述する操作部２６を構成する各種キーの照明や状態表示を行うための光源である。操作部２６は、ダイヤルキー、外線キー、フックスイッチ等の各種キーを備え、ユーザがこれらのキーを用いて入力した情報を制御部２１へ送る。
【００２５】
記憶部２７は、制御部２１が各種処理を実行するときに使用するプログラム等が予め格納されているＲＯＭ、制御部２１が各種処理を実行するときに各種データ等を一時的に記憶するＲＡＭ等からなる。
【００２６】
（実施形態の動作）
以下、本実施形態の動作につき、図３、図６，図７のシーケンス図、ならびに図４、図５のフローチャートを参照しながら実施例１〜３毎に詳細説明を行う。ここでは、内線の電話機２ａ〜２ｎを発信側電話機２とし、外線の電話機３ａ〜３ｎを着信側電話機３として説明する。
【００２７】
（実施例１）
図３において、まず、ユーザは、発信側電話機２を使用して主装置１経由で着信側電話機３相手にダイヤルする（ステップＳ１０１）。発信先電話番号は「０３××××００００」とする。ここで、ユーザは間違い電話をしたことに気づきｔ１（例えば、数秒）以内に電話を切断したとする（ステップＳ１０２）。このとき、主装置１は、「０３××××００００」が間違いダイヤルの可能性があると判断して記憶部１６に一時記憶（仮登録）しておく。ユーザは正しい電話番号「０３××××０００１」宛、すぐに再ダイヤルすると（ステップＳ１０３）、主装置１は、その発信先電話番号を持つ着信側電話機３に発信する（ステップＳ１０４）。
【００２８】
着信側電話機３が着信応答を行うと（ステップＳ１０５）、主装置１は、発信側電話機２にその応答を通知し（ステップＳ１０６）、発信側電話機２と着信側電話機３との間で通話状態が維持され、主装置１は発信側電話機２による切断を検出したら（ステップＳ１０７）、回線を切断する（ステップＳ１０８）。ここでは再ダイヤルから終話までの時間がｔ２（例えば、数十秒）維持されたものとする（但し、ｔ１＜ｔ２）。このとき、主装置１は、先に記憶（仮登録）した電話番号「０３××××００００」と「０３××××０００１」とを比較し、電話番号が異なり、その後の通話が正常に行われていることから、電話番号「０３××××００００」を間違いダイヤルとして間違い電話番号情報テーブル１６０ａに記憶（登録）する。
【００２９】
上記した実施例１の電話装置１０によれば、主装置１は、電話をかけてから切断までに要する時間ｔ１が所定時間より短い時間で切断操作をされた場合に間違い電話番号候補として仮登録し、切断後、すぐに異なる電話番号に発信し、切断するまでの時間が所定時間よりも長いｔ２（会話ができる程度以上の時間）の場合に、先に仮登録した間違い電話番号候補を間違い電話番号であると判断して間違い電話情報テーブル１６０ａに登録する。以降、主装置１は、間違い電話番号情報テーブル１６０ａに登録された電話番号と同一の電話番号に電話した場合、その発信元に間違い電話であることを報知する。したがって、間違い電話番号の登録、及び検索が自動的に行われるため、ユーザが手動で間違い電話として登録する等の煩雑な手間を要することなく間違い電話を防止することができる。
【００３０】
上記した実施例１を実現するための主装置１（制御部１１）の動作が図４、図５にフローチャートで示されている。図４、図５によれば、主装置１では、まず、制御部１１が、発信側電話機２のダイヤル操作を検出し（ステップＳ４０１“ＹＥＳ”）、続いて、時間ｔ１（例えば、数秒）以内の切断を検出すると（ステップＳ４０２“ＹＥＳ”）、そのときに使用した発信先電話番号（例えば、「０３××××００００」）を間違い電話番号候補として記憶部１６の所定の領域に仮登録しておく（ステップＳ４０３）。切断を検出しない場合はステップＳ４０８の処理に進む。
【００３１】
そして、再び発信側電話機２が主装置１経由で着信側電話機３相手に先の発信先電話番号と異なる電話番号（例えば、「０３××××０００１」）をダイヤルし、制御部１１がこれを検出し（ステップＳ４０４“ＹＥＳ”）、更に、時間ｔ２（但し、ｔ１＜ｔ２）での切断を検出すると（ステップＳ４０５“ＹＥＳ”）、先の発信先の電話番号「０３××××００００」を間違い電話番号情報テーブル１６０ａに登録する（ステップＳ４０６）。このとき制御部１１は、先の発信番号と後の発信番号が固定電話（例えば、「０３××××００００」）と移動電話（例えば、「０９０××××００００」）等のように、電話番号の割付けの形態が異なる電話番号への発信については、例えば、先頭の数桁を比較するだけで間違い電話番号候補として判定せず、間違い電話番号情報テーブル１６０ａへの仮登録および登録は行なわないものとする。
【００３２】
以降、制御部１１は、発信側電話機２がダイヤルしたことを検出すると（ステップＳ４０７“ＹＥＳ”）、その電話番号が記憶部１６の間違い電話番号情報テーブル１６０ａに登録されているか否かを判断し、登録されていれば（ステップＳ４０８“ＹＥＳ”）、着信側電話機３宛に発信せずに、発信側電話機２に対し、間違い電話報知を行なうとともに発信を中止する（ステップＳ４０９）。このとき、制御部１１は、発信側電話機２に対し、例えば、「このダイヤルでいいですか」等の確認を行い、その応答により着信側電話機３への発信、あるいは、発信を中止してもよい。上記電話番号が間違い電話番号情報テーブル１６０ａに登録されていなければ（ステップＳ４０８“ＮＯ”）、通常のダイヤル発信を行なう（ステップＳ４１０）。
【００３３】
なお、間違い電話番号情報テーブル１６０ａに登録された発信先電話番号は、発信履歴情報テーブル１６０ｂに格納された発信履歴から削除してもよい。また、帰るコール等のように間違い電話でなくても、相手が応答後、一言二言の会話を行うような極めて短い時間で切断している場合、間違い電話であると判断してしまうが、間違い電話番号情報テーブル１６０ａから削除して区別して管理することで間違い電話として扱わない。したがって、ユーザは発信操作のみで発信が可能になり、確認のための処理が含まれないため、ユーザが煩わしさを感じることはない。
【００３４】
（実施例２）
図６において、まず、ユーザは、発信側電話機２を操作して主装置１経由で着信側電話機３相手にダイヤルする（ステップＳ２０１）。電話番号は「０３××××００００」とする。これを受けて主装置１は、着信側電話機３宛に発信する（ステップＳ２０２）。この後、ユーザは間違いに気づいて例えば、数秒以内に切断し（ステップＳ２０３）、正しい電話番号「０３××××０００１」宛に再ダイヤルすると（ステップＳ２０４）、主装置１は、その電話番号を持つ着信側電話機３に発信する（ステップＳ２０５）。このとき、主装置１は、先の電話番号「０３××××００００」は間違い電話番号候補として記憶部１６の間違い電話番号情報テーブル１６０ａに仮登録しておく。
【００３５】
なお、このとき制御部１１は、実施例１と同様に先の発信番号と後の発信番号が固定電話（例えば、「０３××××００００」）と移動電話（例えば、「０９０××××００００」）等のように、電話番号の割付けの形態が異なる電話番号への発信については、例えば、先頭の数桁を比較するだけで間違い電話番号候補として判定せず、間違い電話番号情報テーブル１６０ａへの仮登録および登録は行なわないものとする。
【００３６】
続いて、再び発信側電話機２が主装置１経由で着信側電話機３にダイヤルしたとする（ステップＳ２１１）。このときの発信先電話番号は先と同じ間違い電話番号候補「０３××××００００」である。これを受けて主装置１は、着信側電話機３宛に発信する（ステップＳ２１２）。この後、ユーザは間違いに気づいて例えば、数秒以内に切断し（ステップＳ２１３）、正しい電話番号「０３××××０００１」宛に再ダイヤルすると（ステップＳ２１４）、主装置１は、その電話番号を持つ着信側電話機３に発信する（ステップＳ２１５）。このとき主装置１は、先にダイヤルした電話番号が間違い電話番号として間違い電話番号情報テーブル１６０ａに仮登録された間違いダイヤルと同じ電話番号であるため、その電話番号を間違い電話番号情報テーブル１６０ａに登録する
【００３７】
次に、ユーザは、発信側電話機２を使用して主装置１経由で着信側電話機３相手にダイヤルする（ステップＳ２２１）。電話番号は「０３××××００００」とする。これを受けて主装置１は、その電話番号が間違い電話番号情報テーブル１６０ａに登録されていることから着信側電話機３宛に発信することはなく、発信側電話機２に対し、例えば、「このダイヤルでいいですか」等の確認報知を行う（ステップＳ２２２）。主装置１は、例えば、ユーザがダイヤルキーの“１”を押すことによる発信側電話機２からのＯＫ応答を得ると（ステップＳ２２３）、着信側電話機３に発信し、例えば、ユーザがダイヤルキーの“２”を押す、あるいはオンフック等によるＮＧ応答を得ると（ステップＳ２２５）と着信側電話機３への発信を中止する。
【００３８】
なお、主装置１からの確認報知に対する発信側電話機２からのＯＫ応答は必ずしも必要ではなく、主装置１は、例えば、発信側電話機２で一定時間操作がなければ着信側電話機３に発信してもよい。
【００３９】
上記した実施例２の電話装置１０によれば、主装置１は、発信側電話機２がダイヤルしてから所定時間以内に切断し、更に、異なる発信先電話番号に発信して所定時間以上で切断する。これら一連の動作を少なくとも２回以上繰り返した場合、所定時間以内に切断した先の発信先の電話番号を間違い電話番号情報テーブル１６０ａに登録し、次回発信時に同一の電話番号に電話した場合に、発信元の発信側電話機２に間違い電話であることを報知する。したがって、間違い電話番号の登録、及び検索が自動的に行われるため、ユーザが手動で間違い電話として登録する等の煩雑な手間を要することなく間違い電話を防止することができる。
【００４０】
（実施例３）
上記した実施例１，２は、ユーザが、相手が電話に出る前に間違い電話に気づいた場合を例示したが、以下に説明する実施例３では、相手が電話に出てから間違い電話に気が付いた場合を例示して説明する。
【００４１】
図７において、ユーザは、発信側電話機２により主装置１経由で着信側電話機３にダイヤルする（ステップＳ３０１）。発信先電話番号は「０３××××００００」とする。これを受けて主装置１は、着信側電話機３に発信し（ステップＳ３０２）、これを着信した着信側電話機３は、主装置１に応答を行い（ステップＳ３０３）、主装置１は発信側電話機２にその応答を通知する（ステップＳ３０４）。この後、ユーザは間違いに気づいて主装置１から応答を受信してから時間ｔ１（例えば、数秒）の通話状態を経て切断すると（ステップＳ３０５）、主装置１は、着信側電話機３との回線を切断する（ステップＳ３０６）。このとき制御部１１は、発信先電話番号「０３××××００００」を間違い電話候補として間違い電話情報テーブルに仮登録する。
【００４２】
間違い電話に気づいたユーザは、切断後正しい電話番号「０３××××０００１」宛に再ダイヤルすると（ステップＳ３０７）、主装置１は、その電話番号を持つ着信側電話機３に発信して（ステップＳ３０８）、応答を得る（ステップＳ３０９）。そして、主装置１は、発信側電話機２にその応答を通知し（ステップＳ３１０）、時間ｔ２（例えば、数十秒）の通話後に切断する（ステップＳ３１１）。これを受けて主装置１は、着信側電話機３との回線を切断する（ステップＳ３１２）。
【００４３】
このとき、主装置１は、電話番号「０３××××００００」の通話状態になっている時間（ｔ１）が短く、電話番号「０３××××０００１」で正常通話しているため、仮登録していた電話番号「０３××××００００」を間違いダイヤルとして間違い電話番号情報テーブル１６０ａに登録する。したがって、以降、主装置１は、発信側電話機２から同じ電話番号による間違い電話があっても着信側電話機３に発信することはない。
【００４４】
上記した実施形態３の電話装置１０によれば、主装置１は、発信して相手が応答した後、所定時間以内に切断し、再度、別の電話番号に発信し、相手が応答した後、所定時間以上で切断した場合、先の発信先番号を間違い電話番号情報テーブル１６０ａに登録し、次回発信時に同一の電話番号に電話かけたときに間違い電話であることを報知する。したがって、相手が電話に出てから間違い電話に気が付いた場合も同様、間違い電話番号の登録、及び検索が自動的に行われるため、ユーザが手動で間違い電話として登録する等の煩雑な手間を要することなく間違い電話を防止することができる。
【００４５】
（実施形態の効果）
以上説明のように本実施形態に係る電話装置１０によれば、主装置１（制御部１１）は、電話をかけてから切断に要するまでの時間が第１の時間（ｔ１）内の場合、発信先電話番号を間違い電話番号候補と判定し、次に、先の発信先電話番号と異なる電話番号へ発信し、かつ、第１の時間より長い第２の時間（ｔ２）で切断された場合に、記憶した間違い電話番号候補の発信先電話番号を間違い電話番号情報テーブル１６０ａに登録し、次回、発信先電話番号への発信時に、当該発信先電話番号が前記間違い電話番号情報テーブル１６０ａに登録されてあることを条件に、発信元に対して間違い電話であることを報知する。したがって、間違い電話番号の登録、及び検索が自動的に行われるため、ユーザが手動で間違い電話として登録する等の煩雑な手間を要することなく間違い電話を防止することができる。
【００４６】
また、制御部１１は、発信側電話機２がダイヤルしてから所定時間以内に切断し、更に、一定時間経過後に異なる電話番号に発信して所定時間以上で切断する動作を少なくとも２回以上繰り返した場合、所定時間以内に切断した先の発信先の電話番号を間違い電話番号情報テーブル１６０ａに登録し、次回発信時に同一の電話番号に電話した場合に、間違い電話であることを報知する。したがって、間違い電話番号の登録、及び検索が自動的に行われるため、ユーザが手動で間違い電話として登録する等の煩雑な手間を要することなく間違い電話を防止することができる。
【００４７】
また、制御部１１は、発信して相手が応答した後、所定時間以内に切断し、再度、別の電話番号に発信し、相手が応答した後、所定時間以上で切断した場合、先の発信先番号を間違い電話番号情報テーブル１６０ａに登録し、次回発信時に同一の電話番号に電話かけたときに間違い電話であることを報知する。したがって、相手が電話に出てから間違い電話に気が付いた場合も同様、間違い電話番号の登録、及び検索が自動的に行われるため、ユーザが手動で間違い電話として登録する等の煩雑な手間を要することなく間違い電話を防止することができる。
【００４８】
また、制御部１１は、電話番号形態が異なる電話番号への発信については間違い電話番号候補として判定しない。このため、例えば、固定電話と移動電話等のように電話番号形態が異なる電話番号への発信については、間違い電話番号の自動登録、及び検索の対象から除外すことにより誤り報知を回避することができる。更に、間違い電話番号情報テーブル１６０ａに登録した発信先電話番号を発信履歴情報テーブル１６０ｂから削除することで、帰るコール等のように応答後、一言二言の会話を行うような極めて短い時間で切断している場合についても間違い電話番号の自動登録、及び検索の対象から除外すことにより誤り報知を回避することができる。
【００４９】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５０】
１  主装置、２（２ａ〜２ｎ）  発信側電話機、３（３ａ〜３ｎ）  着信側電話機、１１  制御部、１６  記憶部、１６０ａ  間違い電話番号情報テーブル、１６０ｂ  発信履歴情報テーブル
【図１】
2015046652.tif 000003
【図２】
2015046652.tif 000004
【図３】
2015046652.tif 000005
【図４】
2015046652.tif 000006
【図５】
2015046652.tif 000007
【図６】
2015046652.tif 000008
【図７】
2015046652.tif 000009